(57)【要約】【課題】簡単にキャビネットどうしを連結できるとともに、キャビネットの前面に化粧桟を取り付けることの可能なキャビネット連結構造を提供する。【解決手段】隣接するキャビネット５を連結する構造であって、該キャビネット５の側板５１の内側面に突設された係止部２ａ、２ｂと、両側板５１、５１を挟持する断面略コの字型の挟持部１とからなり、該挟持部１には弾性挟持力が付与されているとともに、挟持部１を構成する左右挟持片１１には上記係止部２に係合する長孔１２ａ、１２ｂが設けられる。好ましくは、上記キャビネット５を構成する左右側板５１、５１の対向する内側面に突設された係止部が、さらにキャビネット５の前面に懸架される化粧桟４を係止するようにされる。【選択図】図３
2006320364.tif 000002
【特許請求の範囲】
【請求項１】
隣接するキャビネットを連結する構造であって、該キャビネットの側板の内側面に突設された係止部と、両側板を挟持する断面略コの字型の挟持部とからなり、該挟持部には弾性挟持力が付与されているとともに、挟持部を構成する左右挟持片には上記係止部に係合する長孔が設けられたキャビネット連結構造。
【請求項２】
上記キャビネットを構成する左右側板の対向する内側面に突設された係止部が、さらにキャビネットの前面に懸架される化粧桟を係止するようにされた請求項１に記載のキャビネット連結構造。
【請求項３】
上記係止部を上下２段に設けるとともに、上部係止部の上面と下部係止部の下面とにそれぞれ係合突起が設けられ、各係合突起に上記化粧桟に穿たれた上部係合用孔部と下部係合用孔部とが着脱自在に係合する請求項２に記載のキャビネット連結構造。
【請求項４】
上記挟持部を弾性を有する金属体から形成し、左右挟持片には隣接するキャビネットの両側板を弾性的に押圧する弾性挟持力が付与された請求項１に記載のキャビネット連結構造。
【発明の詳細な説明】
【技術分野】
【０００１】
本発明は、キャビネットを連結する構造、さらに、この構造を利用してキャビネットの前面に化粧桟を取り付けることのできるキャビネットの連結構造に関する。
【背景技術】
【０００２】
例えば、台所に設置されるキャビネットの場合、シンク用、調理用、コンロ用等種々のキャビネットが施工現場で組立て連結される。従来からこれらキャビネットの連結は、下記特許文献１に開示されているように、隣接するキャビネットの側板どうしをネジ固定することにより行われている。
【特許文献１】特開平１０−２８６１３６号公報（第１〜３頁、第１図、第２図）
【発明の開示】
【発明が解決しようとする課題】
【０００３】
しかしながら、ネジを用いて固定する方法は、隣接するキャビネットのネジ孔の位置合わせを正確にしてネジ固定しなければならず、作業性が悪いという問題がある。また、上記固定用のネジが外から見えて見映えが悪いという問題もある。本発明はこのような問題を解決し、簡単に作業性よくキャビネットとキャビネットとを連結することができるとともに、キャビネットの前面に化粧桟を取り付けることが可能なキャビネット連結構造を提供することをその課題とする。
【課題を解決するための手段】
【０００４】
上記課題を解決するために、本発明においては、つぎのような技術的手段を講じている。すなわち、本発明によれば、隣接するキャビネットを連結する構造であって、該キャビネットの側板の内側面に突設された係止部と、両側板を挟持する断面略コの字型の挟持部とからなり、該挟持部には弾性挟持力が付与されているとともに、挟持部を構成する左右挟持片には上記係止部に係合する長孔が設けられたキャビネット連結構造が提供される。
【０００５】
上記キャビネットを構成する左右側板の対向する内側面に突設された係止部が、さらにキャビネットの前面に懸架される化粧桟を係止するようにされる。また、上記係止部を上下２段に設けるとともに、上部係止部の上面と下部係止部の下面とにそれぞれ係合突起を設け、各係合突起に上記化粧桟に穿たれた上部係合用孔部と下部係合用孔部とが着脱自在に係合することが好ましい。
【０００６】
上記挟持部に弾性挟持力を付与する手段としてはとくに限定されないが、バネ弾性を有する金属等を用いて挟持部を形成し、左右挟持片に隣接するキャビネットの両側板を弾性的に押圧する弾性挟持力を付与することが好ましい。
【発明の効果】
【０００７】
請求項１に記載の発明は上記のとおりであり、隣接するキャビネットの両側板の内側面に突設された係止部と、両側板を挟持する断面略コの字型の挟持部とからなり、該挟持部には弾性挟持力が付与され、挟持部を構成する左右挟持片には上記係止部に係合する長孔が設けられているため、ビス等を用いることなく弾性挟持力により見栄えよく両側板を固定することができる。さらに、挟持部に両側板を嵌入して上記係止部を長孔に係合させるだけの簡単な作業により、しっかりと両側板を連結することができる。
【０００８】
上記キャビネットを構成する左右側板の対向する内側面に突設された係止部が、さらにキャビネットの前面に化粧桟を懸架して取り付けるようにされているため、上記化粧桟によってキャビネットの前面を意匠性よく覆うことができる。
【０００９】
上記係止部を上下２段に設けるとともに、上部係止部の上面と下部係止部の下面とにそれぞれ係合突起を設け、各係合突起に上記化粧桟に穿たれた上部係合用孔部と下部係合用孔部とが着脱自在に係合するため、化粧桟を上下２カ所でしっかりと取り付けることができる。また、メンテナンス等の場合、上記化粧桟を簡単に取り外すことができる。
【００１０】
上記挟持部を弾性を有する金属体から形成し、左右挟持片には隣接するキャビネットの両側板を弾性的に押圧する弾性挟持力が付与されているため、両側板が金属の有するバネ弾性によってしっかりと連結される。
【発明を実施するための最良の形態】
【００１１】
以下、本発明の実施形態について図面を参照して、詳細に説明する。図１は、本発明にかかるキャビネット連結構造Ａを示す分解斜視図である。図１に示されているように、キャビネット連結構造Ａは、隣接するキャビネット５の側板５１の内側面に上下２段に突設された上部係止部２ａ、下部係止部２ｂと断面略コの字型の挟持部１とからなり、挟持部１の挟持片１１には上記上部係止部２ａ、下部係止部２ｂに嵌合する上部長孔１２ａ、下部長孔１２ｂが設けられている。また、上部係止部２ａの上面と下部係止部２ｂの下面にはそれぞれ上部係合突起３ａ、下部係合突起３ｂが設けられ、これらの係合突起は化粧桟４に穿たれた上部係合用孔部４ａ、下部係合用孔部４ｂに係合される。上記挟持部１はバネ弾性を有する金属を断面略コの字型にして形成され、左右の挟持片１１には弾性挟持力が付与されているため、キャビネット５の両側板５１、５１を弾性的に挟持する。
【００１２】
すなわち、隣接するキャビネット５の両側板５１、５１に矢印の方向に上記挟持片を押し込むことにより側板５１どうしが固定され、連結される。押し込み動作を続けると、上部係止部２ａと下部係止部２ｂとが挟持片１１に穿たれた上部長孔１２ａ、下部長孔１２ｂとに係合し、挟持部１がしっかりと保持される。図２は隣接するキャビネット５の両側板５１、５１を本発明のキャビネット連結構造Ａを用いて連結した状態を示す正面図である。
【００１３】
図３は、図２に示すように挟持部１によって挟持された側板５１から、上部長孔１２ａ、下部長孔１２ｂを経て突出した上部係止部２ａと下部係止部２ｂに化粧桟４を係合する状態を示す説明図である。すなわち、図３に点線で示すように、化粧桟４に設けられた上部係合用孔部４ａ、下部係合用孔部４ｂを上部係合突起３ａ、下部係合突起３ｂにそれぞれ係合させることにより、化粧桟４を上部係止部２ａと下部係止部２ｂとに意匠性よく取り付けることができる。
【００１４】
図４は上記のようにして隣接するキャビネット５の両側板５１、５１を本発明にかかるキャビネット連結構造Ａを用いて連結し、キャビネット５を構成する左右側板５１の内側面間に化粧桟４を取り付けた状態を示す斜視図である。図４から、キャビネット５とキャビネット５とが固定用ビス等を用いることなく見栄えよく連結されるとともに、キャビネット５の前面にも本発明のキャビネット連結構造Ａを用いて化粧桟４を意匠性よく取り付けられることが明らかである。
【図面の簡単な説明】
【００１５】
【図１】本発明にかかるキャビネット連結構造を示す分解斜視図である。
【図２】隣接するキャビネットの両側板を本発明のキャビネット連結構造を用いて連結した状態を示す正面図である。
【図３】図２に示す上部係止部と下部係止部とに化粧桟を係合する状態を示す説明図である。
【図４】本発明にかかるキャビネット連結構造を用いてキャビネットを連結するとともに、化粧桟を取り付けた状態を示す斜視図である。
【符号の説明】
【００１６】
Ａ          本発明にかかるキャビネット連結構造
１          挟持部
１１        挟持片
１２ａ      上部長孔
１２ｂ      下部長孔
２ａ        上部係止部
２ｂ        下部係止部
３ａ        上部係合突起
３ｂ        下部係合突起
４          化粧桟
４ａ        上部係合用孔部
４ｂ        下部係合用孔部
５          キャビネット
５１        側板
【図１】
2006320364.tif 000003
【図２】
2006320364.tif 000004
【図３】
2006320364.tif 000005
【図４】
2006320364.tif 000006